(57)【要約】【課題】登録ユーザー以外のユーザーが登録ユーザーのカスタム設定値を変更するのを禁止する。【解決手段】ＩＤを取得し（Ｓ２）、取得したＩＤを登録ＩＤと照合して登録ユーザーを識別するとともに（Ｓ４）、登録ユーザーごとのカメラのカスタム設定値をメモリ１０ｂに記憶し、識別された登録ユーザーに対応するカスタム設定値をメモリ１０ｂから読み出してカメラに設定する際に（Ｓ５）、登録ユーザー以外のユーザーに対しては、登録ユーザーに対応するカスタム設定値の変更を禁止する（Ｓ１０）。【選択図】図３
2009033398.tif 000002
【特許請求の範囲】
【請求項１】
ＩＤによりユーザーを識別する識別手段と、
前記識別手段により識別されたユーザーに対応するカスタム設定をカメラに行う設定手段と、
前記識別手段による前記識別ユーザー以外のユーザーに対しては、前記識別ユーザーに対応するカスタム設定値の変更を禁止する禁止手段とを備えることを特徴とするデジタルカメラ。
【請求項２】
請求項１に記載のデジタルカメラにおいて、
前記識別手段は、ＩＤを取得するＩＤ取得手段と、前記ＩＤ取得手段により取得したＩＤを登録ＩＤと照合して登録ユーザーを識別する登録ユーザー識別手段とを有し、
前記設定手段は、登録ユーザーごとのカメラのカスタム設定値を記憶する設定値記憶手段と、前記登録ユーザー識別手段により識別された登録ユーザーに対応するカスタム設定値を前記設定値記憶手段から読み出し、カメラに設定するカスタム設定手段とを有し、
前記禁止手段は、前記登録ユーザー以外のユーザーに対しては、前記登録ユーザーに対応するカスタム設定値の変更を禁止することを特徴とするデジタルカメラ。
【請求項３】
請求項２に記載のデジタルカメラにおいて、
前記ＩＤ取得手段は、携帯器との間で無線通信を行い、前記携帯器から送信されたＩＤを受信することを特徴とするデジタルカメラ。
【請求項４】
請求項２または請求項３に記載のデジタルカメラにおいて、
前記登録ユーザー識別手段は、新しいユーザーを登録するモードが設定されている時に、前記ＩＤ取得手段で取得したＩＤが登録ＩＤと一致しない場合には、前記取得したＩＤを新しいユーザーのＩＤとして登録し、
前記設定手段は、前記新しく登録したユーザーが設定したカメラの設定値を該登録ユーザーのカスタム設定値として前記設定値記憶手段に記憶することを特徴とするデジタルカメラ。
【請求項５】
請求項２〜４のいずれか１項に記載のデジタルカメラにおいて、
前記設定手段は、前記登録ユーザー識別手段により識別された前記登録ユーザーがカスタム設定値を変更した場合には、前記設定値記憶手段に記憶されている当該登録ユーザーのカスタム設定値を変更後の設定値に更新することを特徴とするデジタルカメラ。
【発明の詳細な説明】
【技術分野】
【０００１】
本発明はデジタルカメラに関する。
【背景技術】
【０００２】
撮影モードや焦点調節モードなどの撮影に関する各種情報をユーザーの好みに応じて選択し、それらをカスタム設定値として記憶するようにしたカメラが知られている（例えば、特許文献１参照）。
【０００３】
この出願の発明に関連する先行技術文献としては次のものがある。
【特許文献１】特開平０４−２１９７３８号公報
【発明の開示】
【発明が解決しようとする課題】
【０００４】
しかしながら、従来のカメラでは、複数のユーザーで１台のカメラを使用する場合に、カスタム設定値が容易に変更されてしまうという問題がある。
【課題を解決するための手段】
【０００５】
（１）  請求項１の発明は、ＩＤによりユーザーを識別する識別手段と、識別手段により識別されたユーザーに対応するカスタム設定をカメラに行う設定手段と、識別手段による識別ユーザー以外のユーザーに対しては、識別ユーザーに対応するカスタム設定値の変更を禁止する禁止手段とを備える。
（２）  請求項２のデジタルカメラは、識別手段が、ＩＤを取得するＩＤ取得手段と、ＩＤ取得手段により取得したＩＤを登録ＩＤと照合して登録ユーザーを識別する登録ユーザー識別手段とを有し、また、設定手段が、登録ユーザーごとのカメラのカスタム設定値を記憶する設定値記憶手段と、登録ユーザー識別手段により識別された登録ユーザーに対応するカスタム設定値を設定値記憶手段から読み出し、カメラに設定するカスタム設定手段とを有し、禁止手段によって、登録ユーザー以外のユーザーに対しては、登録ユーザーに対応するカスタム設定値の変更を禁止するようにしたものである。
（３）  請求項３のデジタルカメラは、ＩＤ取得手段によって、携帯器との間で無線通信を行い、携帯器から送信されたＩＤを受信するようにしたものである。
（４）  請求項４のデジタルカメラは、登録ユーザー識別手段によって、新しいユーザーを登録するモードが設定されている時に、ＩＤ取得手段で取得したＩＤが登録ＩＤと一致しない場合には、取得したＩＤを新しいユーザーのＩＤとして登録し、設定手段によって、新しく登録したユーザーが設定したカメラの設定値を該登録ユーザーのカスタム設定値として設定値記憶手段に記憶するようにしたものである。
（５）  請求項５のデジタルカメラは、設定手段によって、登録ユーザー識別手段により識別された登録ユーザーがカスタム設定値を変更した場合には、設定値記憶手段に記憶されている当該登録ユーザーのカスタム設定値を変更後の設定値に更新するようにしたものである。
【発明の効果】
【０００６】
本発明によれば、登録ユーザー以外のユーザーが登録ユーザーのカスタム設定値を変更するのを防止することができる。
【発明を実施するための最良の形態】
【０００７】
図１は一実施の形態のデジタルカメラの構成を示す図、図２は一実施の形態の携帯器を示す図である。一実施の形態のデジタルカメラはカメラ本体１００と携帯器２００から構成される。なお、携帯器２００は複数のユーザーがそれぞれ別のものを所持している。この一実施の形態では、カード形態の携帯器２００を例に上げて説明するが、携帯器２００の形状および構造は特に限定されず、例えば無線タグのような形態であってもよい。
【０００８】
図１において、撮影レンズ１はズーミングレンズ１ａ、絞り１ｂ、フォーカシングレンズ１ｃなどから構成され、被写体像を撮像素子２の受光面に結像する。撮像素子２は複数の撮像用画素が二次元平面上に配列され、撮影レンズ１により結像された被写体像の画像信号を出力する。
【０００９】
信号処理回路３は、撮像素子２から出力される画像信号に増幅処理やゲイン調整を施す回路である。Ａ／Ｄコンバーター４は処理後の画像信号をデジタル信号に変換する。画像処理回路５は、画像信号に各種の補正処理や圧縮処理を施して画像信号を生成する回路である。記録装置６はメモリカードなどの着脱可能な記録媒体に撮影画像を記録し、表示装置７はカメラ背面に設けられるＬＣＤに撮影画像のスルー画像や各種撮影に関する情報を表示する。
【００１０】
駆動回路８はズーミングレンズ１ａ、絞り１ｂおよびフォーカシングレンズ１ｃを駆動制御し、タイミングジェネレーター（Ｔ／Ｇ）９は撮像素子２、信号処理回路３、Ａ／Ｄコンバーター４および画像処理回路５へ各処理を開始または終了させるためのタイミング信号を出力する。制御装置１０はＣＰＵ１０ａやメモリ１０ｂなどを備え、画像処理回路５、記録装置６、表示装置７、駆動回路８、タイミングジェネレーター９および無線通信機１２を制御してカメラのシーケンス制御、撮像制御、焦点検出制御、焦点調節制御、画像処理制御、画像記録制御、画像表示制御、無線通信制御などを行う。制御装置１０にはカメラの各種操作を行うためのスイッチ、コマンドダイヤル、セレクタースイッチ、方向キーなどの操作部材１１が接続されている。
【００１１】
制御装置１０に内蔵されるメモリ１０ｂは不揮発性メモリ部を有し、このカメラ本体１００の複数の登録ユーザーのＩＤコード、登録ユーザーごとのカスタム設定値などを記憶している。ここで、カスタム設定値は、撮影モードや焦点調節モードなどの撮影に関する各種設定値を各登録ユーザーが自身の好みに応じて選択した設定値である。例えば、メニュー画面の構成についても標準のメニュー画面とは異なるユーザー好みに構成されたメニュー画面の設定値がある。無線通信機１２は携帯器２００と無線通信を行い、種々の情報を送信または受信する。
【００１２】
次に、図２において、携帯器２００は無線通信回路２１、制御回路２２、メモリ２３などを備えている。無線通信回路２１はカメラ本体１００と無線通信を行い、種々の情報を送信または受信する。制御回路２２はマイクロコンピューター（不図示）とその周辺部品から構成され、カメラ本体１００との無線通信制御などを行う。メモリ２３は不揮発性メモリであり、この携帯器２００のユーザーＩＤコードを記憶している。
【００１３】
図３は電源オン時のカメラの設定処理を示すフローチャートであり、(ａ)はカメラ本体１００の動作を示し、(ｂ)は携帯器２００の動作を示す。操作部材１１の電源スイッチがオンされると、制御装置１０のマイクロコンピューター１０ａは図３(ａ)に示すカメラの設定処理を開始する。ステップ１において、無線通信機１２を介して携帯器２００へＩＤ送信要求を送る。
【００１４】
携帯器２００は、ステップ１５で無線通信回路２１を介してカメラ本体１００からＩＤ送信要求を受信する。続くステップ１６で、メモリ２３からユーザーを識別するためのＩＤコードを読み出し、無線通信回路２１を介してＩＤコードをカメラ本体１００へ送信する。
【００１５】
カメラ本体１００は、ステップ２で無線通信機１２を介して携帯器２００から送られたＩＤコードを受信する。なお、ここではカメラ本体１００を操作するユーザーが携帯器２００を所持しており、カメラ本体１００と携帯器２００とがともに通信可能距離範囲内にあることを前提に説明しているが、何らかの理由で両者が通信可能距離範囲外にある場合、あるいはカメラ本体１００の無線通信機１２または携帯器２００の無線通信回路２１に故障が発生して通信不能な場合には、携帯器２００からＩＤコードを受信できず、エラー警告を行って処理を中止する。
【００１６】
ステップ３において、携帯器２００から受信したＩＤコードとメモリ１０ｂに予め記憶されているＩＤコードとを照合し、携帯器２００を所持するユーザーが登録ユーザーか否かを判別する。受信ＩＤコードと記憶ＩＤコードとが一致して登録ユーザーであることが確認された場合はステップ５へ進み、一方、受信ＩＤコードと記憶ＩＤコードとが一致せず登録ユーザーでないと判別された場合はステップ１０へ進む。
【００１７】
登録ユーザーである場合は、ステップ５で、メモリ１０ｂから受信ＩＤコードに対応するカスタム設定値を読み出し、カメラ本体１００に設定する。続くステップ６で、カメラの設定値が変更されたか否か、つまりステップ５でカメラ本体１００に設定されたカスタム設定値が変更されたか否かを確認する。カスタム設定値の変更操作がない場合はステップ９へ進み、通常の撮影動作に移行する。なお、ここでは通常の撮影動作についての説明を省略する。
【００１８】
一方、カスタム設定値が変更された場合はステップ７へ進み、操作部材１１のセットスイッチがオンされ、カスタム設定値を新しい設定値に変更するための操作がなされたか否かを確認し、再設定操作がなされた場合はステップ８へ進み、変更後の設定値をメモリ１０ｂへ記憶し、カスタム設定値を更新する。
【００１９】
一方、ステップ７でカスタム設定値の再設定操作がなかった場合は、カスタム設定値の変更は今回の撮影時のみの一時的なものであり、メモリ１０ｂに記憶されているカスタム設定値の更新の必要はないと判断してステップ９へ進み、通常の撮影動作に移行する。
【００２０】
図４は、一実施の形態の新しいユーザーの登録処理とカスタム設定値の記憶処理を示すフローチャートであり、(ａ)はカメラ本体１００の動作を示し、(ｂ)は携帯器２００の動作を示す。操作部材１１のセレクタースイッチによりカスタム設定モードが設定されると、制御装置１０のマイクロコンピューター１０ａは図４に示す処理を開始する。ステップ２１において、無線通信機１２を介して携帯器２００へＩＤ送信要求を送る。
【００２１】
携帯器２００は、ステップ３１で無線通信回路２１を介してカメラ本体１００からＩＤ送信要求を受信する。続くステップ３２で、メモリ２３からユーザーを識別するためのＩＤコードを読み出し、無線通信回路２１を介してＩＤコードをカメラ本体１００へ送信する。
【００２２】
カメラ本体１００は、ステップ２２で無線通信機１２を介して携帯器２００から送られたＩＤコードを受信する。ステップ２３において、携帯器２００から受信したＩＤコードとメモリ１０ｂに予め記憶されているＩＤコードとを照合し、携帯器２００を所持するユーザーが登録ユーザーか否かを判別する。受信ＩＤコードと記憶ＩＤコードとが一致して登録ユーザーであることが確認された場合はステップ２５へ進み、一方、受信ＩＤコードと記憶ＩＤコードとが一致せず登録ユーザーでないと判別された場合はステップ１０へ進む。
【００２３】
登録ユーザーである場合は、ステップ２５で操作部材１１によりカメラの設定値の変更操作がなされたか否かを確認し、カスタム設定値の変更操作があった場合はステップ２６へ進み、変更後の設定値をメモリ１０ｂへ記憶し、カスタム設定値を更新する。
【００２４】
一方、登録ユーザーでなかった場合には、ステップ２７で受信ＩＤコードをメモリ１０ｂに記憶して新しいユーザーのＩＤコードとして登録する。なおこの際、ＩＤコード登録を有効とするための認証パスワードの入力をユーザーに要求するようにしてもよい。続くステップ２８において、新規登録ユーザーが操作部材１１により設定したカメラの各種設定値を読み込み、それらの設定値を新規登録ユーザーのカスタム設定値とし、ＩＤコードと対応付けてメモリ１０ｂに記憶する。
【００２５】
なお、上述した一実施の形態では、登録ユーザーが再設定したカスタム設定値に更新する例を示したが、登録ユーザーによる設定値の変更を学習し、学習履歴に基づいてカスタム設定値を更新するようにしてもよい。例えば、同じ項目が所定回数変更された場合はその項目の変更後の設定値をカスタム設定値として記憶する。
【００２６】
このように、一実施の形態によれば、ＩＤによりユーザーを識別し、識別されたユーザーに対応するカスタム設定をカメラに行う際に、識別ユーザー以外のユーザーに対しては識別ユーザーに対応するカスタム設定値の変更を禁止するようにした。さらに具体的には、ＩＤを取得し、取得したＩＤを登録ＩＤと照合して登録ユーザーを識別するとともに、登録ユーザーごとのカメラのカスタム設定値をメモリ１０ｂに記憶し、識別された登録ユーザーに対応するカスタム設定値をメモリ１０ｂから読み出してカメラに設定する際に、登録ユーザー以外のユーザーに対しては、登録ユーザーに対応するカスタム設定値の変更を禁止するようにした。これにより、登録ユーザー以外のユーザーが登録ユーザーのカスタム設定値を変更するのを防止することができる。
【００２７】
また、一実施の形態によれば、携帯器２００との間で無線通信を行い、携帯器２００から送信されたＩＤを受信することによってＩＤを取得するので、携帯器２００を所持する登録ユーザー以外のユーザーが登録ユーザーのカスタム設定値を変更するのを確実に防止できる。
【００２８】
さらに、一実施の形態によれば、新しいユーザーを登録するモードが設定されている時に、取得したＩＤが登録ＩＤと一致しない場合には、取得したＩＤを新しいユーザーのＩＤとして登録し、新しく登録したユーザーが設定したカメラの設定値を該登録ユーザーのカスタム設定値としてメモリ１０ｂに記憶するようにしたので、新規のユーザー登録とカスタム設定値の登録を簡便に行うことができる。
【００２９】
一実施の形態によれば、取得ＩＤを登録ＩＤと照合して登録ユーザーであると識別されたユーザーがカスタム設定値を変更した場合には、メモリ１０ｂに記憶されている当該登録ユーザーのカスタム設定値を変更後の設定値に更新するようにした。つまり、登録ユーザーのカスタム設定値の変更に際しては、ＩＤ照合により登録ユーザーであることを識別してから変更するようにしたので、登録ユーザー以外のユーザーが登録ユーザーのカスタム設定値を変更するのを確実に防止できる。
【図面の簡単な説明】
【００３０】
【図１】一実施の形態のカメラ本体の構成を示す図
【図２】一実施の形態の携帯器の構成を示す図
【図３】一実施の形態の電源オン時のカメラの設定処理を示すフローチャート
【図４】一実施の形態の新しいユーザーの登録処理とカスタム設定値の記憶処理を示すフローチャート
【符号の説明】
【００３１】
１０  制御装置
１０ｂ  メモリ
１２  無線通信機
１００  デジタルカメラ
２００  携帯器
【図１】
2009033398.tif 000003
【図２】
2009033398.tif 000004
【図３】
2009033398.tif 000005
【図４】
2009033398.tif 000006